(57)【要約】【課題】  課金機能を有するプリンタのみをリモートコピーで使用可能となるようにでき、これにより、課金を確実に行うことができるとともに、部品カウンタの精度も保つことが可能であり、画像の品質面からも保証された動作をユーザに対して提供できる画像印字システムを提供する。【解決手段】  遠隔複写動作を行う場合に、印字装置側の課金機能の有無をチェックし、課金機能を有するプリンタのみ、印字できる印字装置候補に含めるように操作画面に表示し、正しく課金できる機器のみ、遠隔複写機能（リモートコピー機能）を使えるように制御する。【選択図】        図１
2006237786.tif 000002
【特許請求の範囲】
【請求項１】
原稿を読み取るスキャナと、前記スキャナから読み取った画像を処理する画像処理手段と、ユーザが各種設定を行う操作パネルとを有する画像処理装置と、
ネットワークから送信された画像データを受信する手段と、受信したデータを印字する画像印字手段とを有する画像印字装置と、を備え、
前記それぞれの装置をネットワークで接続し、特定の画像処理装置から、複数の画像印字装置のうちの任意の装置に対して画像データを送信することにより、遠隔複写動作を行えるような画像印字システムであって、
前記画像印字装置には、用紙を排出する毎に、完了した用紙枚数をカウントするカウント手段と、前記カウント手段によりカウントされたカウント値を異なる記憶方式で保持する記憶手段を複数有し、前記複数の記憶手段に記憶されているカウント値が正常であるかを判断する整合性チェック手段と、前記整合性チェック手段で不整合が発生していると判断した場合に、不正な記憶領域を正常な記憶領域から修復する修復手段とを備えることにより、用紙の使用枚数を保持するカウンタの信頼性を向上させる構成を有することが可能で、その仕組みを備えているかどうかを示す課金カウンタ機能情報を有し、
前記画像処理装置は、遠隔複写動作を指示する時に、出力先となる画像印字装置を特定するために、ネットワーク上の複数の画像印字装置に対して、課金カウンタ機能を有しているかどうかを問い合わせる問い合わせ手段を有し、前記問い合わせ手段により得られた結果を基に、操作パネル上に遠隔複写動作を指示することが可能な画像印字装置の一覧を表示するように制御することを特徴とする画像印字システム。
【請求項２】
請求項１記載の画像印字システムにおいて、前記カウント値を異なる記憶方式で保持する記憶手段が、ＳＲＡＭ、ＥＥＰＲＯＭ、ＨＤの３方式であることを特徴とする画像印字システム。
【請求項３】
請求項１記載の画像印字システムにおいて、前記カウント値を異なる記憶方式で保持する記憶手段が、ＳＲＡＭ、ＥＥＰＲＯＭの２方式であることを特徴とする画像印字システム。
【請求項４】
請求項１ないし３のいずれか一項記載の画像印字システムにおいて、前記課金カウンタ機能情報は、電源投入時に、整合チェック手段で整合が保たれていると判断された場合に確定することを特徴とする画像印字システム。
【請求項５】
請求項１ないし４のいずれか一項記載の画像印字システムにおいて、前記課金カウンタ機能情報は、ネットワーク経由での画像処理装置から問い合わせ手段により問い合わせられた時点で、画像印字装置の整合チェック手段によりチェックを行い判断することを特徴とする画像印字システム。
【発明の詳細な説明】
【技術分野】
【０００１】
本発明は、画像データを読み込むスキャナや画像処理を行う画像処理装置と、画像データを用紙に印字する画像印字装置とがネットワークで接続された構成で、リモートの複写機能を実現できるような画像印字システムに関するものである。
【０００２】
特に、画像出力を行う画像印字装置を特定する際の、画像処理装置側での操作画面への表示の仕方に関するものである。
【背景技術】
【０００３】
原稿をスキャンして得られた画像処理装置からネットワークを介して画像印字装置に画像データを転送し、印字実行するような遠隔複写機能を実現しているシステムは既に提案されている。このような構成の場合、印字枚数をカウントする課金処理は印字装置側で行われるのが一般的である。
【０００４】
このような遠隔複写機能を実現しているシステムは、各メーカー毎の同一シリーズの機種間のみであることが多い。しかし最近では、ネットワーク技術の発達によりＯＡ機器の統合的なネットワークＯＡインタフェース仕様（ＢＭＬｉｎｋＳなど）が提案されており、異なるメーカー間や異機種間での相互接続が可能な状況となってきている。
【０００５】
そのような環境の中で、例えばコピー／プリンタ／ファックスなどのマルチファンクションを備えた複合機と、プリント機能のみを備えたシングルファンクションのプリンタとの間で相互接続して、遠隔複写機能などを実現できるようになることは、ユーザにとっても大きなメリットとなる。
【０００６】
しかしこのような自由な組み合わせでのプリントが可能となると、新たな問題として、画像保証などの問題が発生する可能性が高い。全く異なる性能やスペックの機器間で画像データの遠隔複写機能を動作させると、画像がユーザの要求した画質にならない場合が想定されるからである。
【０００７】
この解決方法として、印字装置に課金機能を有しているかどうかを示す情報を保持しておき、その情報を用いて、遠隔複写機能を動作させることができるかどうかを決定するように制御するというものがある。課金機能の有無と画質保証の関係がどう結びつくかについて簡単に説明する。
【０００８】
マルチファンクション機能を有する複写機ベースの機器については、先にも述べたように、ハードカウンタあるいはそれに順ずるカウント値の保証ができる仕組みを有するソフトカウンタにより、ユーザの使用枚数を厳密に把握する仕組みがある。
【０００９】
以前は、コピー機能のみしか有していなかったため、メカニカルなハードカウンタで実現できていたが、近年では、機能の多様化（マルチファンクション）にともない、カウンタ種類の増加も要求されてきており、不揮発性のメモリを用いたソフトカウンタが一般的となってきた。このカウンタは、データ破壊などが発生した場合でも複数の領域にデータを保持しており、修復することが可能であるため、機器での印字枚数や消耗部品の使用枚数などを厳密に保持し続けることが可能である。
【００１０】
つまり、単純なＲＡＭクリアなどの操作では簡単にクリアされない仕組みになっているために、機器がどれくらい使用されているか、部品がどれくらい消耗しているかをカウンタ値として確実に保持し続けることが可能なのである。すなわち機器の消耗状態をある意味で正確に把握できる機能を有しているということができる。この情報を基にサービスマンの機器メンテナンスのサービス提供が可能となるのである。
【００１１】
一方、シングルファンクションプリンタは、サービスマンによらず、ユーザメンテナンスによる運用が一般的である。そのため、マルチファンクション機からシングルファンクション機へのプリントを実行しようとした場合に、課金カウントの処理がされないことになる。課金管理されているマルチファンクションでスキャンした画像がシングルファンクション機にプリントアウトすることにより、課金管理されない状態となるばかりでなく、先ほど説明した画質的な面でも問題となる可能性が出てくる。
【００１２】
そこで、本発明では遠隔複写動作を行う場合に、印字装置側の課金機能の有無をチェックし、課金機能を有するプリンタのみ、印字できる印字装置候補に含めるように操作画面に表示し、正しく課金できる機器のみ、遠隔複写機能（リモートコピー機能）を使えるように制御するものである。
【００１３】
自由な組み合わせで遠隔複写機能を実現するシステムにおいて課金機能を有するかどうかを判断して、課金処理をどこで行うかについての特許は既に存在する（例えば、特許文献１参照）。これは、画像読み込み側と画像出力側のそれぞれに課金機能を有しているかどうかを検知し、両方持つ場合には画像出力側のみで課金し、一方しか持たない場合には、そちらで課金するというもので、課金し損ないや、２重課金を防ぐというものである。
【特許文献１】特開２００２−０３３８６８号公報
【発明の開示】
【発明が解決しようとする課題】
【００１４】
上記従来例において説明した提案も問題を解決する１つの方法であるが、この方法では、画像読み込み側のみの課金機能を有している場合に、印字装置側での印字タイミングに同期させて、読み込み側でカウントアップする仕組みを設けるのは、ネットワーク間の通信量を増大させてしまう。
【００１５】
それを回避するために、読み込みが終了した時点でカウントするようにした場合、印字装置側で印字途中にジャムが発生した場合などに、読み込み側で余分にカウントアップされてしまう問題などがある。また、印字装置側のプリント１枚の単価が異なる場合には、それに応じた単価計算などを、読み込み側ですべて行うのは現実的ではない。
【００１６】
本発明は、このような問題点に鑑みて為されたものであり、その目的とする処は、課金機能を有するプリンタのみをリモートコピーで使用可能となるようにでき、これにより、課金を確実に行うことができるとともに、部品カウンタの精度も保つことが可能であり、画像の品質面からも保証された動作をユーザに対して提供できる画像印字システムを提供することにある。
【課題を解決するための手段】
【００１７】
本発明は上記課題を解決するために、以下のような画像印字システムを有する。
【００１８】
同等の課題に対して、本発明ではあくまで課金処理は印字装置側で行うこととし、課金機能を有していなければ、リモートコピーの機能自身を無効にして、課金処理の整合性を守るように制御するものである。
【００１９】
そのために、原稿を読み取るスキャナと、スキャナから読み取った画像を処理する画像処理手段と、ユーザが各種設定を行う操作パネルとを有する画像処理装置と、ネットワークから送信された画像データを受信する手段と受信したデータを印字する画像印字手段を有する画像印字装置と、それぞれの装置をネットワークで接続し、特定の画像処理装置から、複数の画像印字装置のうちの任意の装置に対して画像データを送信することにより、遠隔複写動作を行えるような画像印字システムにおいて、画像印字装置には、用紙を排出する毎に、完了した用紙枚数をカウントするカウント手段と、前記カウント手段によりカウントされたカウント値を異なる記憶方式で保持する記憶手段を複数有し、前記複数の記憶手段に記憶されているカウント値が正常であるかを判断する整合性チェック手段と、前記整合性チェック手段で不整合が発生していると判断した場合に、不正な記憶領域を正常な記憶領域から修復する修復手段とを備えることにより、用紙の使用枚数を保持するカウンタの信頼性を向上させる構成を有することが可能で、その仕組みを備えているかどうかを示す課金カウンタ機能情報を有し、画像処理装置は、遠隔複写動作を指示する時に、出力先となる画像印字装置を特定するために、ネットワーク上の複数の画像印字装置に対して、課金カウンタ機能を有しているかどうかを問い合わせる手段を有し、前記問い合わせ手段により得られた結果を基に、操作パネル上に遠隔複写動作を指示することが可能な画像印字装置の一覧を表示するように制御することを特徴とする画像印字システムを提案するものである。
【発明の効果】
【００２０】
本発明によれば、課金機能を有するプリンタのみをリモートコピーで使用可能となるようにでき、これにより、課金を確実に行うことができるとともに、部品カウンタの精度も保つことが可能であり、画像の品質面からも保証された動作をユーザに対して提供できる画像印字システムを提供することができる。
【発明を実施するための最良の形態】
【００２１】
以下本発明の実施例について、図面を参照しながら説明する。
【実施例１】
【００２２】
以下に本発明の実施例について、図面に基づいて説明する。
【００２３】
まず図１に一般的なリモートコピー機能を実現するための環境の概略図を示す。複数のパソコン１−５、１−６（以後ＰＣ）とマルチファンクション複合機１−１、シングルファンクションプリンタ１−２、１−３、１−４が、ネットワーク１−７を介して接続されている。
【００２４】
本実施例では、画像処理装置側をマルチファンクション複合機（以後、ＭＦＰと呼ぶ）、画像印字装置側をシングルファンクションプリンタ（以後ＳＦＰと呼ぶ）として説明を進める。
【００２５】
ユーザは、１−１のＭＦＰで原稿をセットし、読み込みを行う。この時１−１のプリンタ部分が、１−５や１−６のＰＣからのプリント指示によるジョブで使用されていた場合には、ユーザはリモートコピー機能を利用して、１−２、１−３、１−４のＳＦＰのいずれかを出力先として選択することにより、他ユーザのジョブ実行中に影響されることなく、別のプリンタでコピー処理を行うことができる。
【００２６】
次に１−１のＭＦＰの詳細について、図２を用いて説明する。
【００２７】
このＭＦＰは、コピー・プリンタ・ＦＡＸのそれぞれの機能を有している。断面図は白黒のプリント記録用のプリントエンジン２−１と給紙デッキ２−８とフィニッシャ２−１０を含むアクセサリである。ドキュメントフィーダ（ＤＦ）２−２に、原稿をフェースアップで載置して、スタートキーを押すと、原稿が原稿読み取り部２−３の上面に搬送される。
【００２８】
そして、光源２−４で原稿を照射し、ＣＣＤ２−５でその反射光を読取って、デジタル信号に変換され、所望の画像処理を行ってレーザ記録信号に変換される。その記録信号は、後述する図３で説明を後述するコントローラ内のメモリに格納される。
【００２９】
本実施例でのリモートコピー機能の場合はネットワークを介して、リモートのＳＦＰへと画像を転送する。ここではローカルコピーの動作を説明する。
【００３０】
コントローラ内のメモリに一旦記憶された画像データは、レーザ記録部２−６で記録レーザに変換され、感光体２−７に照射され、感光体に潜像を形成する。そして、トナー現像を行い、用紙カセット２−８から給紙された転写紙に、トナーを転写し、定着部２−９でトナーを定着させてフィニッシャ２−１０に排出する。フィニッシャでは、ユーザに指定された機能に応じて各種動作をする。
【００３１】
具体的には、ステープル（１個所・２箇所綴じ）やパンチ（２穴・３穴）、製本中綴じ等各種機能を有している。排紙トレイ２−１１は２つあり、ユーザの設定によって、コピー・プリンタ・ＦＡＸの機能毎に排紙トレイを振り分けることができる。プリントエンジン２−１は、白黒のプリンタではあるが、カラー記録のプリンタエンジンでもよい。
【００３２】
プリンタとして利用される場合、ドライバにより以下の機能を設定できる。例えば、白黒プリント／カラープリント、用紙サイズ、Ｎｉｎ１、両面、ステープル、パンチ、製本中綴じ、合紙、表紙、裏表紙の各種設定が可能である。
【００３３】
次に画像印字装置のスキャナ部やプリンタ部、ネットワークインタフェース部の制御を行うコントローラのハード構成の詳細について図３および図４を用いて説明する。
【００３４】
図３はＭＦＰ用のコントローラであり、図４はＳＦＰ用のコントローラである。図示しているもので異なる部分は、図４のＳＦＰ用では、スキャナＩ／Ｆ１０４と、そのコネクタ１４２、コネクタとスキャナＩ／Ｆを接続する画像信号１４４と通信信号１４３が削除されている点である。それ以外は同等なので、図３を用いて詳細な説明を続ける。
【００３５】
メインコントローラ１１１は、主にＣＰＵ１１２と、バスコントローラ１１３、各種Ｉ／Ｆコントローラ回路とから構成される。
【００３６】
ＣＰＵ１１２とバスコントローラ機器全体の動作を制御するものであり、ＣＰＵ１１２はＲＯＭ１１４からＲＯＭ  Ｉ／Ｆ１１５を経由して読込んだプログラムに基いて動作する。また、ＰＣから受信したＰＤＬ（ページ記述言語）コードデータを解釈し、ラスターイメージデータに展開する動作も、このプログラムに記述されており、ソフトウェアによって処理される。バスコントローラ１１３は各Ｉ／Ｆから入出力されるデータ転送を制御するものであり、バス競合時の調停やＤＭＡデータ転送の制御を行う。
【００３７】
ＤＲＡＭ１１６はＤＲＡＭ  Ｉ／Ｆ１１７によってメインコントローラ１１１と接続されており、ＣＰＵ１１２が動作するためのワークエリアや、画像データを蓄積するためのエリアとして使用される。
【００３８】
Ｃｏｄｅｃ１１８は、ＤＲＡＭ１１６に蓄積されたラスターイメージデータをＭＨ／ＭＲ／ＭＭＲ／ＪＢＩＧ／ＪＰＥＧ等の方式で圧縮し、また逆に圧縮され蓄積されたコードデータをラスターイメージデータに伸長する。ＳＲＡＭ１１９はＣｏｄｅｃ１１８の一時的なワーク領域として使用される。Ｃｏｄｅｃ１１８はＩ／Ｆ１２０を介してメインコントローラ１１１と接続され、ＤＲＡＭ１１６との間のデータの転送は、バスコントローラ１１３によって制御されＤＭＡ転送される。
【００３９】
Ｇｒａｐｈｉｃ  Ｐｒｏｃｅｓｓｏｒ１３５は、ＤＲＡＭ１１６に蓄積されたラスターイメージデータに対して、画像回転、画像変倍、色空間変換、二値化の処理をそれぞれ行う。ＳＲＡＭ１３６はＧｒａｐｈｉｃ  Ｐｒｏｃｅｓｓｏｒ１３５の一時的なワーク領域として使用される。Ｇｒａｐｈｉｃ  Ｐｒｏｃｅｓｓｏｒ１３５はＩ／Ｆ１３７を介してメインコントローラ１１１と接続され、ＤＲＡＭ１１６との間のデータの転送は、バスコントローラ１１３によって制御されＤＭＡ転送される。
【００４０】
Ｎｅｔｗｏｒｋ  Ｃｏｎｔｏｒｌｌｅｒ１２１はＩ／Ｆ１２２によってメインコントローラ１１１と接続され、コネクタ１２２によって外部ネットワークと接続される。ネットワークとしては一般的にイーサネット（登録商標）があげられる。
【００４１】
汎用高速バス１２５には、拡張ボードを接続するための拡張コネクタ１２４とＩ／Ｏ制御部１２６とが接続される。汎用高速バスとしては、一般的にＰＣＩバスがあげられる。Ｉ／Ｏ制御部１２６には、リーダー部２００、プリンタ部３００の各ＣＰＵと制御コマンドを送受信するための調歩同期シリアル通信コントローラ１２７が２チャンネル装備されており、Ｉ／Ｏバス１２８によって外部Ｉ／Ｆ回路１４０，１４５に接続されている。
【００４２】
パネルＩ／Ｆ１３２は、ＬＣＤコントローラ１３１に接続され、操作部１５０上の液晶画面に表示を行うためのＩ／Ｆと、ハードキーやタッチパネルキーの入力を行うためのキー入力Ｉ／Ｆ１３０とから構成される。図４でも同様の記述となっているが、ＳＦＰではコスト面などから、ＳＦＰに比べて簡略的な操作画面となる場合が多い。
【００４３】
操作部１５０は液晶表示部と液晶表示部上に張り付けられたタッチパネル入力装置と、複数個のハードキーを有する。タッチパネルまたはハードキーにより入力された信号は前述したパネルＩ／Ｆ１３２を介してＣＰＵ１１２に伝えられ、液晶表示部はパネルＩ／Ｆ５２０から送られてきた画像データを表示するものである。液晶表示部には、本画像形成装置の操作における機能表示や画像データ等を表示する。本発明に関連する具体的な操作部表示に関しては、図５〜図８を用いて後に詳細を説明する。
【００４４】
リアルタイムクロックモジュール１３３は、機器内で管理する日付と時刻を更新／保存するためのもので、バックアップ電池１３４によってバックアップされている。
【００４５】
Ｅ−ＩＤＥインタフェース１６１は、外部記憶装置を接続するためのものである。本実施例においては、このＩ／Ｆを介してハードディスクドライブ１６０を接続し、ハードディスク１６２へ画像データを記憶させたり、ハードディスク１６２から画像データを読み込む動作を行う。コネクタ１４２と１４７は、それぞれスキャナ部とプリンタ部とに接続され、同調歩同期シリアルＩ／Ｆ（１４３，１４８）とビデオＩ／Ｆ（１４４，１４９）とから構成される。
【００４６】
スキャナＩ／Ｆ１４０は、コネクタ１４２を介してスキャナ部と接続され、また、スキャナバス１４１によってメインコントローラ１１１と接続されており、スキャナ部から受け取った画像に対して所定の処理を施す機能を有し、さらに、スキャナ部から送られたビデオ制御信号をもとに生成した制御信号を、スキャナバス１４１に出力する機能も有する。スキャナバス１４１からＤＲＡＭ１１６へのデータ転送は、バスコントローラ１１３によって制御される。
【００４７】
プリンタＩ／Ｆ１４５は、コネクタ１４７を介してプリンタ部と接続され、また、プリンタバス１４６によってメインコントローラ１１１と接続されており、メインコントローラ１１１から出力された画像データに所定の処理を施して、プリンタ部へ出力する機能を有し、さらに、プリンタ部から送られたビデオ制御信号をもとに生成した制御信号を、プリンタバス１４６に出力する機能も有する。
【００４８】
ＤＲＡＭ１１６上に展開されたラスターイメージデータのプリンタ部への転送は、バスコントローラ１１３によって制御され、プリンタバス１４６、ビデオＩ／Ｆ１４９を経由して、プリンタ部３００へＤＭＡ転送される。
【００４９】
ＳＲＡＭ１５１は、バックアップ用電池から供給される電源により、装置全体が電源遮断されても記憶内容を保持できる構成となっているメモリであり、１５０のバスを介してＩ／Ｏ制御部と接続されている。ＥＥＰＲＯＭ１５２も同様に１５０のバスを介してＩ／Ｏ制御部と接続されているメモリである。コントローラのハード構成の詳細は以上である。
【００５０】
本実施例の課金カウンタ機能は、１６０のハードディスクと１５１のＳＲＡＭと１５２のＥＥＰＲＯＭの３種類のデバイスに対してカウント値を保持するように制御する。図９が図３の課金カウンタ機能に関連する部分のみを抜き出して示した図である。
【００５１】
カウントアップの制御を行う９−１のＣＰＵと、課金機能を有するかどうかの情報を保持する９−２のＲＯＭと、カウンタの３重バックアップ領域を示す、９−３のＥＥＰＲＯＭと９−４のＳＲＡＭと、９−５のハードディスクである。カウンタの３領域は、必ずしもＥＥＰＲＯＭ、ＳＲＡＭ、ＨＤである必要はなく、ハード構成の都合によりＨＤが存在しない場合などは、ＥＥＰＲＯＭ１領域、ＳＲＡＭ２領域といった構成にして実現してもよいことは言うまでもない。
【００５２】
次にカウンタ領域の中身に関して説明する。図１０が課金カウンタの内容を示す図である。１０−１がカウンタ種類を示しており、色モードが白黒／カラー／モノカラー、用紙サイズがＬａｒｇｅ／Ｓｍａｌｌ、画像の面付けが片面／両面の組み合わせで構成されている。また１０−２のジョブ種毎に個別にデータを持つ構成となっている。コピーやプリントといった種類に応じてカウント管理ができるようになっている。
【００５３】
図の例では１２ｘ４＝４８種類のカウンタを持つ構成となっている。また、１０−３で示すチェックサム領域を持ち、この領域には、４８種類のカウンタすべてを足し込んだサム値が保存されていて、カウンタ４８種類の全領域のデータの整合性が保たれているかどうかの判断に使用する。また、デバイスの容量の制約条件にもよるが、図１１で示すような消耗部品のカウンタも同様にカウント値とチェックサム領域を持つことにより、課金カウンタと同様の修復可能な構成にすることも可能である。
【００５４】
以上説明したカウンタおよびチェックサム領域のデータが、９−３、９−４、９−５のそれぞれに存在する。
【００５５】
次に課金カウンタの修復機能と課金機能情報の設定についてフローチャートを使って説明する。まず電源ＯＮ時の動作について図１３を用いて説明する。まず電源がＯＮされると、１３−１でＥＥＰＲＯＭの整合チェックを行う。これは先ほど説明した図１０のカウンタ領域を足しこんで得られた計算値と、チェックサム領域に格納されている値が一致しているかをチェックすることによりチェックする次に別のデバイスであるＨＤ内の整合チェックを１３−２で行う。
【００５６】
更に１３−３でＳＲＡＭ内の整合チェックを同様に行う。そして１３−４でそれぞれの３領域について整合チェックの結果がすべてＯＫだったかを確認する。全てがＯＫであった場合は、カウンタ領域は正常な状態であるために、１３−８で課金機能を有することを示す情報をセットする。本実施例では、この領域は図９の９−２のＲＯＭに持つこととする。
【００５７】
整合性チェックで全てがＯＫでない場合は、１３−５で復旧可能な状態であるかをチェックする。具体的には、正常な領域が存在するかどうかをチェックする。全てがＮＧの場合は修復不可能なので、１３−７へ移行してサービスエラーとなり、機器は使用できない状態となる。復旧可能な状態であれば、１３−６で整合性がＯＫの領域からＮＧへの領域の書き込みが行われる。より具体的には、２領域がＯＫの場合は、ＮＧの１領域を修復するし、１領域のみがＯＫの場合は、その領域から残りのＮＧの２領域を修復する。修復後は正常な状態に戻るため、１３−８で課金機能は正常に有しているということで、課金機能を有することを示す情報をセットして終了する。
【００５８】
次に用紙が排出される時の課金カウンタのカウントアップ処理について図１２を用いて説明する。カウントアップ前には、電源ＯＮ時と同様に、１３−１から１３−３で各領域内の整合性チェックを行う。整合性が全てＯＫとなると１２−８のカウント種類特定の処理に移行する。整合性がＮＧの場合は、復旧可能な場合は１２−５から１２−６へ進み、整合性ＯＫの領域から整合性ＮＧの領域を修復し、１２−８に戻り、復旧不可能な場合（全て整合性ＮＧ）は、復旧元が存在しないのでサービスエラーになって機器を停止する。
【００５９】
１２−８のカウンタ種類とは、図１０で説明したカウンタ種類のことで、色モードや、用紙サイズ、片面か両面か、ジョブ種は何であるかを示す情報から、どのカウンタをカウントアップすべきかを決定する。カウンタ種別が確定すると、そのカウンタ値を３領域から読み出し、３つのカウンタが等しいかどうかを１２−９でチェックする。等しくない場合１２−１０で多数決の原理で、ずれているカウンタのみを修復する処理が働く。それが終了すると、３領域のカウンタ値は等しいことが保障されるので、１２−１１でＥＥＰＲＯＭのカウンタ値をカウントアップし、１２−１２でＨＤのカウンタ値をカウントアップし、１２−１３でＳＲＡＭのカウンタ値をカウントアップして終了する。
【００６０】
カウントアップのタイミングについては、片面時は、図２の２−１１のフィニッシャの出力ビンに用紙が排出された時である。両面時は、１面目の画像形成が終了し、定着ローラ２−９を抜けた後、機外への排紙口ではなく、用紙反転パスを経由して、２−１２の両面ユニットには停止した時に、一旦片面のカウンタがカウントアップする。次に２−１２の両面ユニットから２面目の画像のために再給紙され、１２−１１に排紙する時に、両面用の課金カウンタがカウントアップされる。
【００６１】
次にリモートコピー機能をユーザが選択する時の処理フローについて説明する。まず、画像を読み込む側の機器での操作画面について説明する。
【００６２】
図２のＭＦＰでは、図５の５−１に示すような操作部が接続されている。５−２はユーザが設定した設定値などを取り消すためのリセットキーである。５−３はジョブが動作中に中止を行う時に使用するストップキーである。５−４は置数などの数値入力を行うためのテンキーである。５−５はタッチパネル式の操作画面であり、具体的には図６で示すような画面である。各種設定をするためのタッチパネルのボタンが多数存在する。
【００６３】
本発明でのリモートコピー機能時の出力プリンタを設定するボタンは、右上の方に存在する”Ｓｅｌｅｃｔ  Ｏｕｔｐｕｔ  Ｄｅｖｉｃｅ”というキーを押下することにより選択対象となるデバイス名が表示されることになる。５−６は原稿の読み込みなどジョブをスタートさせるためのスタートキーである。５−７は設定などをクリアするためのクリアキーである。以上が操作部の各部の説明である。
【００６４】
“Ｓｅｌｅｃｔ  Ｏｕｔｐｕｔ  Ｄｅｖｉｃｅ”キーが押下された時の操作部の画面詳細は、図７のように候補のプリンタリストが表示される。７−１のボタンを押下すると、課金機能を有する自機器自身を示す７−２の“ＬｏｃａｌＰｒｉｎｔｅｒ”や、課金機能を有する“ＲｅｍｏｔｅＰｒｉｎｔｅｒ０１”や“ＲｅｍｏｔｅＰｒｉｎｔｅｒ０３”が選択候補として表示される。“ＲｅｍｏｔｅＰｒｉｎｔｅｒ０２”は課金機能なしと判断されて、リストに表示されなかったことを示している。
【００６５】
ここで仮に“ＲｅｍｏｔｅＰｒｉｎｔｅｒ０１”を選択したとすると、図８で示すような画面へと移行する。プルダウンメニューは消え、８−１で示す部分に“ＲｅｍｏｔｅＰｒｉｎｔｅｒ０１”が選択されたことを示す“Ｒｅｍｏｔｅ０１”の表示と、その左横のプリンタのアイコンが、選択したＳＦＰに切り替わっている。これでリモートコピーのプリンタ選択は終了であり、コピースターキー５−６を押下することにより原稿が読み取られて、指定したプリンタＲｅｍｏｔｅ０１へ出力されることになる。
【００６６】
最後に、図７のプルダウンメニューが表示される時の処理について、図１４と図１５のフローチャートを用いて説明する。図１４は画像読み取り側の処理フローであり、図１５は、画像印字側の処理フローである。
【００６７】
まず図１４では、ユーザが図６の“Ｓｅｌｅｃｔ  Ｏｕｔｐｕｔ  Ｄｅｖｉｃｅ”ボタンを押下した時点で、処理がスタートし、１４−１でネットワーク（ＬＡＮ）上に接続されているプリンタに対して課金機能を有しているかどうかを問い合わせる。その後１４−２でそれに対するレスポンスがあるまで待つ。
【００６８】
一方、画像印字側では図１５の１５−１で課金機能問い合わせがあるかを待っている。１４−１で問い合わせが発生するので、１５−１から１５−２へ移行する。そこで、図１３の１３−８でセットした課金機能情報を参照して、結果を１５−３で画像読み取り側へ通知して終了する。画像印字側は複数台のプリンタが存在するので、ネットワーク上に存在する全てのプリンタでこの処理が行われる。
【００６９】
一方、問い合わせをした画像読み取り側では、１４−２で返答があるとその結果を１４−３で確認し、課金機能ありの場合には、１４−４でリモートプリンタの選択リストに追加する。課金機能なしのプリンタに対してはリストへの追加処理をスキップし１４−５に移る。全プリンタからの返事が全て完了していない段階では再度１４−２に戻り返答を待つ。図１の例では、プリンタが３台存在するので、３回これを繰り返すことになる。最後に全プリンタからの返答を受け取ると、１４−６にて、１４−４でリストに追加されていたリモートプリンタのリスト情報を、プルダウンメニューで表示し、図７で示した操作部画面が表示されることになる。
【実施例２】
【００７０】
実施例１では、電源ＯＮ時に課金機能情報をＲＯＭ内にセットしてしまう構成とした。この場合、ＲＯＭにそれ専用の領域を持つ必要があるため、実施例２では課金機能情報を静的に保持しておく必要のない構成を示す。図１６を用いて説明する。
【００７１】
画像印字側の処理が実施例１での図１５に変わり、図１６で示すようなフローチャートとなる。ＲＯＭ上にあらかじめ課金機能情報を持たないために、問い合わせに対して、１６−２から１６−４で３領域のそれぞれの整合性チェックを行い、整合性が取れていると判断した場合に１６−６で課金機能ＯＮを通知し、整合性が取れていない場合には１６−７で課金機能ＯＦＦを通知するように制御するものである。効果としては、実施例１と全く同様である。
【実施例３】
【００７２】
実施例２と同様、課金対応している機器であるかどうかを、複数領域のカウンタ値の整合性が保たれているかどうかの判定結果によって判断するものである。
【００７３】
実施例２との違いは、低価格のプリンタの場合、ＨＤレスの構成のものや、メモリ量を減らしたモデル構成が存在する。例えばカウンタ用のＥＥＰＲＯＭが未接続で、更にＨＤレスのモデル構成にした場合、ＳＲＡＭ領域しか正常でないため、複数領域の整合性が保たれていない状態となる。実施例１の説明では、ＥＥＰＲＯＭやＨＤの復旧処理を実行してもデバイスが存在しないため致命的なエラーとなってしまう。
【００７４】
そこで、ＳＲＡＭ領域のみはチェックサム値が正常であると判断した場合は、複数領域の復旧処理は無効となり課金機能に関しては非対応機となり、図１６で説明したフローでは、課金機能ＯＦＦを画像読み取り側に対しては通知するが、プリンタとしてはエラーとならずに使用できるように制御する。もちろん課金非対応のため実施例１で説明した、出力デバイス選択のリストには、対象機器として表示されることはないので、リモートコピーの出力としては選択できなくなる。しかし通常のＰＣからのプリント動作は正常に実行できることになる。この場合、図１２で示した
カウントアップの処理は、３重領域の整合性が保たれていなくても、１つの領域でも整合性が保たれていれば、サービスエラーにならずにカウントアップ処理を正常に行うよう制御することは言うまでもない。
【図面の簡単な説明】
【００７５】
【図１】遠隔複写機能（リモートコピー）の構成図
【図２】画像処理装置の断面図
【図３】コントローラのハード構成図（ＭＦＰ）
【図４】コントローラのハード構成図（ＳＦＰ）
【図５】操作部の構成図
【図６】操作画面の図
【図７】操作画面の図
【図８】操作画面の図
【図９】課金カウンタの３重バックアップの概略図
【図１０】カウンタ領域内のデータのマップ図（課金カウンタ）
【図１１】カウンタ領域内のデータのマップ図（部品カウンタ）
【図１２】カウントアップ処理のフローチャート
【図１３】電源ＯＮ時の課金機能情報のセットに関するフローチャート
【図１４】リモートプリンタ検索処理のフローチャート
【図１５】リモートプリンタ側の課金機能情報返答処理のフローチャート
【図１６】リモートプリンタ側の課金機能情報返答処理のフローチャート
【符号の説明】
【００７６】
１−１  マルチファンクション複合機
１−２、１−３、１−４  シングルファンクションプリンタ
１−５、１−６  パソコン
【図２】
2006237786.tif 000003
【図３】
2006237786.tif 000004
【図４】
2006237786.tif 000005
【図５】
2006237786.tif 000006
【図９】
2006237786.tif 000007
【図１０】
2006237786.tif 000008
【図１１】
2006237786.tif 000009
【図１２】
2006237786.tif 000010
【図１３】
2006237786.tif 000011
【図１４】
2006237786.tif 000012
【図１５】
2006237786.tif 000013
【図１６】
2006237786.tif 000014
【図１】
2006237786.tif 000015
【図６】
2006237786.tif 000016
【図７】
2006237786.tif 000017
【図８】
2006237786.tif 000018